(57)【要約】【課題】加工が簡単であるとともに、外周面に天然素材の立体的なデザイン変化を醸しだすことができる円筒容器を提供する。【解決手段】円筒容器２１は、有底円筒状の主筒２２と、その主筒２２の開口を開閉する蓋筒２３とより構成する。主筒２２及び蓋筒２３は、木製の薄板３０を軸線に対して傾斜するように巻回して構成する。薄板３０の端縁３０ｃにより、主筒２２及び蓋筒２３の外周面に段差状の装飾部３２を形成する。この装飾部３２は、軸線に対して傾斜する方向へ延びるように形成する。【選択図】図１
2010005962.tif 000002
【特許請求の範囲】
【請求項１】
有底円筒状の主筒と、その主筒の開口を開閉する蓋筒とを備えた円筒容器において、
前記主筒及び蓋筒を木製の薄板を軸線に対して傾斜するように巻回して構成するとともに、その薄板の端縁により前記主筒及び蓋筒の外周面に段差状の装飾部を形成したことを特徴とする円筒容器。
【請求項２】
前記装飾部を前記軸線に対して傾斜させたことを特徴とする請求項１に記載の円筒容器。
【請求項３】
前記主筒を内筒と外筒とにより構成し、内筒には外筒の開口端部から突出する突出筒部を形成するとともに、その突出筒部には前記蓋筒が外嵌されるように構成し、前記突出筒部と蓋筒との間には、外筒上の装飾部と蓋筒上の装飾部とが連続したとき、蓋筒を突出筒部に対して回転方向に位置決めするための位置決め手段を設けたことを特徴とする請求項１または２に記載の円筒容器。
【発明の詳細な説明】
【技術分野】
【０００１】
この発明は、例えば表彰状や卒業証書等を円筒状に巻き付けた状態で収容することに用いられる円筒容器に関するものである。
【背景技術】
【０００２】
従来、この種の円筒容器としては、合成樹脂や厚紙よりなる有底円筒状の主筒の開口端部に、同じく合成樹脂や厚紙よりなる蓋筒を開閉可能に嵌着するように構成したものが知られている。この従来構成においては、主筒及び蓋筒が合成樹脂や厚紙により形成されているため、主筒及び蓋筒の外周面に木目模様等の天然素材の模様を表出させるのが困難であった。特に、厚紙により形成されたものは、水や外力に対して脆弱であって、取り扱いにおいて慎重を期す必要があった。
【０００３】
一方、特許文献１においては、円筒状の木製容器の構成が開示されている。この特許文献１の従来構成においては、一つの木片に対して軸方向へのボーリングを施すことによって円筒状の木製容器が形成される。
【０００４】
また、福祉用具や学校用学習机椅子等の木製部材に使用されるウッドパイプとして、特許文献２に開示された構成が提案されている。この特許文献２の従来構成においては、複数枚の木質の薄単板を巻回積層して接着固定することにより、円筒状のウッドパイプが形成されている。この場合、各層の薄単板の巻き始め端縁と巻き終わり端縁とが、互いに重ならないように突合せ状態で接合されるとともに、ウッドパイプの軸線と平行に延びるように配置されている。また、各層における薄単板の突合せ接合部は、同一位置に重合しないように、ウッドパイプの円周方向へ位置をずらして配置されている。
【特許文献１】特開平９−１６４５１２号公報
【特許文献２】特開２００５−２８８８１４号公報
【発明の開示】
【発明が解決しようとする課題】
【０００５】
前記特許文献１の構成においては、同じ径の木製容器を複数作製しようとすれば、その木製容器の外径の２倍以上の木材を必要とするため、原材料の浪費に直結する。従って、木製容器の外径の２倍未満の木材からは径の異なる木製容器しか作製できない。しかも、この特許文献１の従来技術においては、木製容器の外周面には何らの装飾も施されず、きわめて興趣に乏しい。
【０００６】
また、この特許文献２に記載の従来構成では、複数枚の木質の薄単板が用いられているため、特許文献１のような原材料の浪費の問題は生じない。しかしながら、この特許文献２に記載の従来構成では、複数枚の木質の薄単板が巻回積層された各層において、薄単板の巻き始め端縁と巻き終わり端縁とが突合せ状態で接合されているため、各層の薄単板の幅を外側層ほど次第に大きくなるように変更調整する必要がある。よって、同一形状の薄単板を使用することができず、薄単板の加工が面倒になるという問題があった。
【０００７】
また、この特許文献２に記載の従来構成では、ウッドパイプの外周面に最外層の薄単板の突合せ接合部が、パイプ外周面と同一周面上で、パイプの軸線に沿って直線状に延びるように現れるように構成されている。このため、ウッドパイプの外周面に立体的なデザイン変化を醸しだすことができないという問題もあった。
【０００８】
従って、この特許文献２に記載のウッドパイプの製造技術を用いて、木質の薄単板により円筒容器の主筒及び蓋筒を形成したとしても、加工が簡単でデザイン的に優れた円筒容器を得ることができなかった。
【０００９】
この発明は、このような従来の技術に存在する問題点に着目してなされたものである。その目的は、加工が簡単であるとともに、外周面に天然素材の立体的なデザイン変化を醸しだすことができる円筒容器を提供することにある。
【課題を解決するための手段】
【００１０】
上記の目的を達成するために、この発明は、有底円筒状の主筒と、その主筒の開口を開閉する蓋筒とを備えた円筒容器において、前記主筒及び蓋筒を木製の薄板を軸線に対して傾斜するように巻回して構成するとともに、その薄板の端縁により前記主筒及び蓋筒の外周面に段差状の装飾部を形成したことを特徴としている。
【００１１】
従って、この円筒容器における主筒及び蓋筒の製造時には、一層ごとに木製の薄板の巻き始め端縁と巻き終わり端縁とを突合せ接合させる必要がなく、薄板を連続的に巻回して成形することができる。よって、幅が異なった複数の木製の薄板を加工して用意する必要がなくて、その加工を簡単に行うことができる。また、主筒及び蓋筒の外周面には、木製の薄板の端縁により段差状の装飾部が形成されているため、円筒容器の外周面に天然素材の立体的なデザイン変化を醸しだすことができる。
【００１２】
また、前記の構成において、前記装飾部を前記軸線に対して傾斜させるとよい。このように構成した場合には、段差状の装飾部を円筒容器の外周面の多方向から視認することができて、デザイン効果を高めることができる。
【００１３】
さらに、前記の構成において、前記主筒を内筒と外筒とにより構成し、内筒には外筒の開口端部から突出する突出筒部を形成するとともに、その突出筒部には前記蓋筒が外嵌されるように構成し、前記突出筒部と蓋筒との間には、外筒上の装飾部と蓋筒上の装飾部とが連続したとき、蓋筒を突出筒部に対して回転方向に位置決めするための位置決め手段を設けるとよい。このように構成した場合には、蓋筒を主筒に対して印籠蓋形式で脱着開閉することができるとともに、主筒の外筒と蓋筒との外周面間において段差状の装飾部を適切に連続させることができる。
【発明の効果】
【００１４】
以上のように、この発明によれば、円筒容器の製造加工を簡単に行うことができるとともに、外周面に天然素材の立体的なデザイン変化を醸しだすことができるという効果を発揮する。
【発明を実施するための最良の形態】
【００１５】
以下に、この発明の一実施形態を、図面に基づいて説明する。
図１及び図２に示すように、この実施形態の円筒容器２１は、有底円筒状の主筒２２と、その主筒２２の開口端部に脱着開閉可能に取り付けられた蓋筒２３とから構成されている。主筒２２は、円筒状の内筒２４と、その内筒２４の外側に嵌合固定された円筒状の外筒２５と、内筒２４及び外筒２５の底部に嵌合固定されたほぼ円板状の端板２６とより構成されている。内筒２４には、外筒２５の開口端部から突出する突出筒部２４ａが形成されている。蓋筒２３は、円筒状の蓋筒本体２７と、その蓋筒本体２７の頂部に嵌合固定されたほぼ円板状の端板２８とより構成されている。そして、この蓋筒２３が主筒２２における内筒２４の突出筒部２４ａに対して、印籠蓋形式で外嵌されるように構成されている。
【００１６】
図１〜図５及び図７に示すように、前記主筒２２の内筒２４は、複数枚の木製の薄板３０を軸線に対して傾斜するように巻回積層することにより形成されている。また、主筒２２の外筒２５及び蓋筒２３の蓋筒本体２７も、前記内筒２４と同様に、複数枚の木製の薄板３０を軸線に対して傾斜するように巻回積層することにより形成されている。
【００１７】
図７に示すように、前記木製の薄板３０は、０．３〜０．６ｍｍ程度の板厚の板材（単板）により、平行四辺形となるように形成されている。薄板３０の木目３１と直交する方向に延びる２辺３０ａの長さＬ１は、主筒２２の内筒２４、外筒２５または蓋筒２３の蓋筒本体２７の１．２５〜１．５周分に相当する寸法となるように形成されている。また、薄板３０の２辺３０ａ間の間隔Ｌ２は、主筒２２の内筒２４、外筒２５または蓋筒２３の蓋筒本体２７の軸線方向の長さに相当する寸法となるように形成されている。そして、薄板３０の木目３１とほぼ平行する方向に延びる２辺のうちで、一側辺が内筒２４、外筒２５または蓋筒本体２７を巻回積層する場合の巻き始め端縁３０ｂになるとともに、他側辺が巻き終わり端縁３０ｃとなるように構成されている。
【００１８】
図１、図３及び図５に示すように、前記主筒２２の外筒２５及び蓋筒２３の蓋筒本体２７の外周面には、最外周に巻回された薄板３０の巻き終わり端縁３０ｃによって段差状の装飾部３２が形成されている。この装飾部３２は外筒２５及び蓋筒本体２７の外周面において、その軸線に対して傾斜した方向へ連続するとともに、外筒２５及び蓋筒本体２７の外周面の半周分を超える範囲（例えば、９０度〜２７０度の範囲内）にわたって螺旋状に延びるように形成されている。
【００１９】
図４〜図６に示すように、前記主筒２２における内筒２４の突出筒部２４ａと蓋筒２３の蓋筒本体２７との間には、外筒２５上の装飾部３２と蓋筒本体２７上の装飾部３２とが連続したとき、蓋筒２３を突出筒部２４ａに対して回転方向に位置決めするための位置決め手段としての位置決め構造３３が設けられている。この位置決め構造３３は、薄板３０の巻き終わり端縁３０ｃにより内筒２４の外周面に形成された外側段差部３４と、薄板３０の巻き始め端縁３０ｂにより蓋筒本体２７の内周面に形成された内側段差部３５とから構成されている。
【００２０】
そして、図６（ａ）に示すように、蓋筒２３を内筒２４の突出筒部２４ａに外嵌させた状態で、同図の時計回り方向（反時計回り方向に回転するように構成してもよい）に回転させたとき、図６（ｂ）に示すように、蓋筒本体２７の内側段差部３５が突出筒部２４ａ上の外側段差部３４に係合される。この係合により、蓋筒２３が突出筒部２４ａに対して回転方向の所定位置に位置決めされる。このとき、図１に示すように、外筒２５の外周面と蓋筒本体２７の外周面との間において、段差状の装飾部３２が軸線に対して傾斜した状態で連続して延長配置されるとともに、木目３１も連続して延長配置される。
【００２１】
次に、前記のように構成された円筒容器２１の製造方法について説明する。
さて、この円筒容器２１の製造時には、まず図８に示すように、マンドレル３８の外周に、複数枚（例えば３枚）の木製の薄板３０を軸線に対して傾斜するように巻回積層して、主筒２２の内筒２４を形成する。この場合、各薄板３０において、巻き始め端縁３０ｂと巻き終わり端縁３０ｃとを突合せ接合させることなく、巻き始め端縁３０ｂの外周側に巻き終わり端縁３０ｃが所定角度（例えば９０度〜２７０度）だけ重ね合わせられた状態となるように巻回する。
【００２２】
また、前記内筒２４における１枚目の薄板３０の巻き終わり端縁３０ｃに対して２枚目の薄板３０の巻き始め端縁３０ｂを接合させるとともに、２枚目の薄板３０の巻き終わり端縁３０ｃに対して３枚目の薄板３０の巻き始め端縁３０ｂを接合させるように巻回する。さらに、この薄板３０の巻回時には、その内周面または外周面に速乾性の接着剤を塗布して、薄板３０を積層状態に接着固定する。そして、内筒２４が硬化した後、その内筒２４をマンドレル３８から抜き取る。
【００２３】
続いて、図９に示すように、前記内筒２４を心棒として用いて、その内筒２４の外周に複数枚（例えば４枚）の木製の薄板３０を軸線に対して傾斜するように巻回積層して、主筒２２の外筒２５及び蓋筒２３の蓋筒本体２７を連続的に形成する。この場合にも、前記内筒２４の形成時と同様に、各薄板３０において、巻き始め端縁３０ｂと巻き終わり端縁３０ｃとを突合せ接合させることなく、巻き始め端縁３０ｂの外周側に巻き終わり端縁３０ｃが四半周〜半周分だけ重ね合わさった状態となるように巻回する。
【００２４】
また、前記外筒２５及び蓋筒本体２７における１枚目の薄板３０の巻き始め端縁３０ｂを、内筒２４上の最外周の薄板３０の巻き終わり端縁３０ｃに対して接合させるように巻き始める。さらに、外筒２５及び蓋筒本体２７における複数枚の薄板３０の継ぎ目部分においては、先に巻回された薄板３０の巻き終わり端縁３０ｃに対して、次の薄板３０の巻き始め端縁３０ｂを接合させるように連続して巻回する。つまり、内筒２４と、外筒２５及び蓋筒２３の薄板３０の巻回に際しては、その巻き始め端縁３０ｂと巻き終わり端縁３０ｃとをある程度ラップされ、薄板３０の継ぎ目部分においては、突き合わせ状態でラップされる。
【００２５】
そして、この薄板３０の巻回時においても、前記内筒２４の形成時と同様に、薄板３０の内周面または外周面に速乾性の接着剤を塗布して、薄板３０を積層状態に接着固定する。この場合、内筒２４の外周面と外筒２５及び蓋筒本体２７の内周面との間には、接着剤を塗布しない。
【００２６】
次に、図１０に示すように、前記外筒２５及び蓋筒本体２７が硬化した後、その外筒２５及び蓋筒本体２７の形成体を内筒２４から抜き取る。そして、外筒２５及び蓋筒本体２７の形成体を切断線Ｃ１に沿って切断して、外筒２５と蓋筒本体２７とに分割する。それとともに、内筒２４の端部を切断線Ｃ２に沿って切断して、所定長さとなるように調整する。続いて、図１１に示すように、内筒２４の外周面及び外筒２５の内周面の一方に速乾性の接着剤を塗布した状態で、その内筒２４を外筒２５内に嵌合させて、両筒２４，２５を接着固定する。この場合、外筒２５の開口端部から内筒２４の一部を突出させて、突出筒部２４ａを形成する。
【００２７】
その後、図１２に示すように、端板２６の外周に速乾性の接着剤を塗布した状態で、その端板２６を内筒２４及び外筒２５の底部に嵌合固定して、主筒２２を形成する。さらに、図１３に示すように、端板２８の外周に速乾性の接着剤を塗布した状態で、その端板２８を蓋筒本体２７の頂部に嵌合固定して、蓋筒２３を形成する。この状態で、主筒２２における内筒２４の突出筒部２４ａに蓋筒２３を外嵌すれば、図１に示すように円筒容器２１が完成する。
【００２８】
以上のように構成されたこの実施形態の円筒容器においては、以下の効果を奏する。
（１）  この実施形態の円筒容器においては、主筒２２の内筒２４、主筒２２の外筒２５及び蓋筒２３の蓋筒本体２７を形成する際に、木製の薄板３０を一枚ごとにその巻き始め端縁３０ｂと巻き終わり端縁３０ｃとを突合せ接合させながら巻回する必要がなく、複数の薄板３０を連続的に巻回して形成することができる。よって、木製の薄板３０を幅が異なった複数種類分だけ予め加工して用意する必要がなく、同一幅の薄板３０を使用することができて、その加工を簡単に行うことができる。
【００２９】
（２）  主筒２２の外筒２５及び蓋筒２３の蓋筒本体２７の外周面には、木製の薄板３０の巻き終わり端縁３０ｃにより段差状の装飾部３２が形成されているため、円筒容器２１の外周面に天然素材の立体的なデザイン変化を醸しだすことができる。
【００３０】
（３）  この実施形態の円筒容器においては、主筒２２が内筒２４と外筒２５とから構成され、内筒２４には外筒２５の開口端部から突出する突出筒部２４ａが形成されるとともに、その突出筒部２４ａには蓋筒２３が外嵌されるように構成されている。このため、蓋筒２３を主筒２２に対して印籠蓋形式で脱着開閉することができる。
【００３１】
（４）  前記突出筒部２４ａと蓋筒２３との間には、互いに係合可能な外側段差部３４と内側段差部３５とよりなる位置決め構造３３が設けられている。よって、蓋筒２３を突出筒部２４ａに外嵌させた状態で回転させれば、位置決め構造３３の内側段差部３５と外側段差部３４との係合により、蓋筒２３を突出筒部２４ａに対して回転方向の所定位置に位置決めすることかできる。
【００３２】
（５）  そして、この状態で、外筒２５の外周面と蓋筒２３の外周面との間において、段差状の装飾部３２及び木目３１が連続して延長配置されるため、デザイン効果を高めることができる。
【００３３】
（変更例）
なお、この実施形態は、次のように変更して具体化することも可能である。
・  前記実施形態において、主筒２２の内筒２４を、主筒２２の外筒２５及び蓋筒２３の蓋筒本体２７とは異なった１枚の単板を用いて形成すること。
【００３４】
・  主筒２２、蓋筒２３及び内筒２４を木製積層シートよりなる薄板３０を用いて作製すること。
（別の技術的思想）
さらに、上記実施形態により把握される請求項以外の技術的思想について、以下にそれらの効果とともに記載する。
【００３５】
（Ａ）  前記位置決め手段により蓋筒が内筒の突出筒部に対して位置決めされたときに、外筒及び蓋筒の外周面の木目が連続するように構成したことを特徴とする請求項３に記載の円筒容器。
【００３６】
この構成によれば、外筒と蓋筒との外周面間において、薄板の木目を連続させることができて、デザイン効果を一層高めることができる。
（Ｂ）  前記内筒は、木製の薄板を巻回して構成するとともに、その薄板の端縁により内筒の外周面に段差部を形成し、前記位置決め手段は、前記内筒の外周面の段差部と、前記蓋筒の内周面の段差部とにより構成したことを特徴とする請求項１〜３、前記（Ａ）項のうちのいずれか一項に記載の円筒容器。
【００３７】
この構成によれば、位置決め手段の構造が簡単であるとともに、内筒の外周面の段差部と蓋筒の内周面の段差部との係合により、蓋筒を内筒の突出筒部に対して回転方向へ容易に位置決めすることができる。
【図面の簡単な説明】
【００３８】
【図１】一実施形態の円筒容器を示す斜視図。
【図２】図１の円筒容器を蓋筒の取り外し状態で示す断面図。
【図３】図２の３−３線における拡大断面図。
【図４】図２の４−４線における拡大断面図。
【図５】図２の５−５線における拡大断面図。
【図６】（ａ）及び（ｂ）は蓋筒の取り付け時における位置決め動作を順に示す部分断面図。
【図７】図１の円筒容器を製造するのに用いられる木製の薄板を示す正面図。
【図８】同円筒容器の製造方法を示す断面図。
【図９】同じく製造方法を図８に続いて示す断面図。
【図１０】同製造方法を図９に続いて示す正面図。
【図１１】同製造方法を図１０に続いて示す正面図。
【図１２】同製造方法を図１１に続いて示す正面図。
【図１３】同製造方法を図１２に続いて示す正面図。
【符号の説明】
【００３９】
２１…円筒容器、２２…主筒、２３…蓋筒、２４…内筒、２４ａ…突出筒部、２５…外筒、２７…蓋筒本体、３０…木製の薄板、３０ｂ…巻き始め端縁、３０ｃ…巻き終わり端縁、３１…木目、３２…段差状の装飾部、３３…位置決め手段としての位置決め構造、３４…外側段差部、３５…内側段差部。
【図１】
2010005962.tif 000003
【図２】
2010005962.tif 000004
【図３】
2010005962.tif 000005
【図４】
2010005962.tif 000006
【図５】
2010005962.tif 000007
【図６】
2010005962.tif 000008
【図７】
2010005962.tif 000009
【図８】
2010005962.tif 000010
【図９】
2010005962.tif 000011
【図１０】
2010005962.tif 000012
【図１１】
2010005962.tif 000013
【図１２】
2010005962.tif 000014
【図１３】
2010005962.tif 000015